(57)【要約】【課題】除塵子の高さを高くしなくても除塵子の移動操作を行い易くすることのできる電気掃除機を提供する。【解決手段】塵埃吸込口から塵埃を吸引する電動送風機と、前記塵埃吸込口へ吸引され塵埃を集塵する集塵部と、この集塵部と前記電動送風機との間の風路に配置されたプリーツフィルタ４３と、このプリーツフィルタ４３の一端から他端に亘って横架されたガイドレール４４と、このガイドレール４４に沿って移動可能に装着された除塵子５０とを備え、この除塵子５０をガイドレール４４に沿って移動させることによりプリーツフィルタに振動を与えてこのプリーツフィルタ４３に付着している細塵を除塵する電気掃除機において、ハンドル体６０を掃除機本体に収納可能に設け、除塵子５０に凹部５２Ｂを設け、この凹部５２Ｂにハンドル体６０の突起部６２を挿入して除塵子４５を移動操作可能にした。【選択図】図３
2008178506.tif 000002
【特許請求の範囲】
【請求項１】
塵埃吸込口から塵埃を吸引する電動送風機と、前記塵埃吸込口へ吸引され塵埃を集塵する集塵部と、この集塵部と前記電動送風機との間の風路に配置されたプリーツフィルタ体と、このプリーツフィルタ体のプリーツフィルタの一端から他端に亘って横架されたガイドレールと、このガイドレールに沿って移動可能に装着された除塵子とを備え、この除塵子をガイドレールに沿って移動させることにより前記プリーツフィルタに振動を与えてこのプリーツフィルタに付着している細塵を除塵する電気掃除機において、
ハンドル体を掃除機本体に収納可能に設け、
前記除塵子に凹部を設け、
この凹部に前記ハンドル体の一端を挿入して前記除塵子を移動操作可能にしたことを特徴とする電気掃除機。
【請求項２】
前記ハンドル体は清掃用のブラシ具であることを特徴とする請求項１に記載の電気掃除機。
【請求項３】
前記プリーツフィルタ体は、前記掃除機本体に着脱可能に装着されたプリーツフィルタ枠と、このプリーツフィルタ枠に取り付けられた前記プリーツフィルタとを有し、
前記ガイドレールは前記プリーツフィルタ枠に設け、
前記ハンドル体の一端を前記除塵子の凹部に挿入して、前記プリーツフィルタ体を取り外せるようにしたことを特徴とする請求項１または請求項２に記載の電気掃除機。
【請求項４】
前記ハンドル体を前記プリーツフィルタ枠に収納可能にし、このプリーツフィルタ枠にそのハンドル体を収納している際、このハンドル体を取っ手として前記プリーツフィルタ体を取り外せるようにしたことを特徴とする請求項３に記載の電気掃除機。
【発明の詳細な説明】
【技術分野】
【０００１】
この発明は、集塵部と電動送風機との間にプリーツフィルタを配置した電気掃除機に関する。
【背景技術】
【０００２】
従来から、下ケースと、この下ケースの上に載置された上ケースと、この上ケース内に設けられた電動送風機と、下ケース内に設けられた集塵室およびフィルタとを備えた電気掃除機が知られている（特許文献１参照）。
【０００３】
かかる電気掃除機は、ホース接続口から集塵室へ吸い込まれた空気は渦流となり、この渦流により塵埃と空気が分離され、この分離された塵埃が集塵室に集塵され、空気はフィルタを通って電動送風機へ吸い込まれていく。
【０００４】
ところで、このような電気掃除機にあっては、フィルタとしてプリーツフィルタを一般に用いている。そして、プリーツフィルタに付着した細塵を落とすために、プリーツフィルタの上にガイドレールを横架し、このガイドレールに沿って移動可能に除塵子を装着し、この除塵子を手動操作でガイドレールに沿って移動させることにより、プリーツフィルタに振動を与えて付着した細塵を落とすものである。
【特許文献１】特開２００３−２１９９９７号公報
【発明の開示】
【発明が解決しようとする課題】
【０００５】
ところで、このような電気掃除機にあっては、掃除機本体の高さを低くするためにプリーツフィルタと上ケースとの間の隙間を狭く設定している。このため、除塵子の高さを高くすることができず、このため除塵子を指で掴むことが難しく、除塵子の移動操作が行い難いという問題があった。
【０００６】
この発明の目的は、除塵子の高さを高くしなくても除塵子の移動操作を行い易くすることのできる電気掃除機を提供することにある。
【課題を解決するための手段】
【０００７】
この発明は、塵埃吸込口から塵埃を吸引する電動送風機と、前記塵埃吸込口へ吸引され塵埃を集塵する集塵部と、この集塵部と前記電動送風機との間の風路に配置されたプリーツフィルタ体と、このプリーツフィルタ体のプリーツフィルタの一端から他端に亘って横架されたガイドレールと、このガイドレールに沿って移動可能に装着された除塵子とを備え、この除塵子をガイドレールに沿って移動させることにより前記プリーツフィルタに振動を与えてこのプリーツフィルタに付着している細塵を除塵する電気掃除機において、
ハンドル体を掃除機本体に収納可能に設け、
前記除塵子に凹部を設け、
この凹部に前記ハンドル体の一端を挿入して前記除塵子を移動操作可能にしたことを特徴とする。
【発明の効果】
【０００８】
この発明によれば、除塵子の高さを高くしなくても除塵子の移動操作が行い易くなる。
【発明を実施するための最良の形態】
【０００９】
以下、この発明に係る電気掃除機の実施の形態である実施例を図面に基づいて説明する。
【実施例】
【００１０】
［第１実施例］
図１および図２に示す電気掃除機１０は、円筒状の下ケース１２と、電動送風機１３を内蔵するとともにその下ケース１２の上に分離可能に載置された円筒状の上ケース１４とを備えている。そして、下ケース１２と上ケース１４とで掃除機本体が構成される。
【００１１】
下ケース１２の上部は開口されており、この開口１５内には集塵ケース３０が着脱自在に装着されている。下ケース１２の下端にはベース部１６が形成され、このベース部１６にはキャスターＫが取り付けられている。また、下ケース１２の下部は付属品を収納する収納部１２Ｂとなっている。
【００１２】
上ケース１４の下部にはフランジ２０が形成され、このフランジ２０が下ケース１２の開口１５の外周側を覆っている。フランジ２０にはホース接続口２１が形成されるている。上ケース１４の上面には電源スイッチＳ１と切スイッチＳ２とが設けられている。Ｈは排気口、Ｇは上ケース１４を下ケース１２に固定するクランプ、Ｊは上ケース１４の下部に取り付けられた格子である。
【００１３】
ホース接続口２１には集塵ホース２４の一端が着脱自在に接続され、集塵ホース２４の他端には延長管２５が着脱自在に接続されている。２６は延長管２５の先端に着脱自在に接続された吸込口体である。
【００１４】
集塵ケース３０は上部が開口した筒状に形成されており、この開口にプリーツフィルタ体４０が着脱自在に装着されている。また、集塵ケース３０は集塵室（集塵部）Ｐを形成している。
【００１５】
プリーツフィルタ体４０は、図３および図４に示すように、長方形の開口４１を形成するとともに外径が円形状のフィルタ枠４２と、この開口４１に取り付けられたプリーツフィルタ４３と、開口４１の長手方向に沿ってその中央部を横架したガイドレール４４と、このガイドレール４４に装着されるとともにこのガイドレール４４に沿って移動可能な除塵子５０とを有している。
【００１６】
フィルタ枠４２の右側の上面には、ハンドル体６０を収納する収納部４５が形成されており、この収納部４５の側面には指を引っかけてプリーツフィルタ体４０を持ち上げられるように凹部４５Ａが形成されている。フィルタ枠４２の左側の外周面には、接続筒３５（図２参照）が入る凹部４６が形成されている。接続筒３５はプリーツフィルタ体４０を保持する図示しない枠体に設けられており、この枠体とプリーツフィルタ体４０とが一体となって下ケース１２に着脱自在に装着されている。また、接続筒３５は塵埃吸込口３５Ａを形成するものである。
【００１７】
ガイドレール４４は、図５に示すように、長尺状のベース部４４Ａと、このベース部４４の両側に上方に突出して形成された断面が半円形の一対のレール部４４Ｂ,４４Ｃとを有している。
【００１８】
除塵子５０は、板状の基部５１と、この基部５１の一端に形成した方形状の摺動部５２と、基部５１の他端に形成した台形状の摺動部５３とを有している。
【００１９】
摺動部５２の下面にはレール部４４Ｂに摺動自在に係合した凹部５２Ａが形成され、摺動部５２の右側面（図５において）には凹部５２Ｂが形成されている。また、摺動部５３の下面にはレール部４４Ｃに摺動自在に係合した凹部５３Ａが形成されている。
【００２０】
各摺動部５２,５３の下面には図示しない突出部が形成され、除塵子５０をガイドレール４４に沿って移動させると、その突出部がプリーツフィルタ４３の山部を弾いていき、これによりプリーツフィルタ４３を振動させて付着している塵埃を除塵していくものである。
【００２１】
ハンドル体６０は、所定の高さと長さを有するハンドル部６１と、このハンドル部６１の一端に設けられるとともに除塵子５０の凹部５２Ｂへ挿入する突起部（一端）６２とを有している。ハンドル部６１の下面６１ａと突起部６２の下面６２ａとの間には、除塵子５０の基部５１の上面から摺動部５３の上面までの高さと同一の高さの段差が形成されている。
【００２２】
そして、図６に示すように、ハンドル体６０の突起部６２を除塵子５０の凹部５２Ｂに挿入すると、ハンドル体６０のハンドル部６２が除塵子５０の摺動部５３の上に乗り上げる状態となる。
［動  作］
次に、上記のように構成される電気掃除機の動作について説明する。
【００２３】
図１および図２に示すように、下ケース１２の上に上ケース１４を載置してクランプＧにより固定する。また、上ケース１４のホース接続口２１に集塵ホース２４の一端を接続する。この接続により集塵ケース３０の集塵室Ｐと集塵ホース２４とが連通され、その集塵室Ｐが集塵ホース２４および延長管２５を介して吸込口体２６に連通される。また、下ケース１２の上に上ケース１４を載置すると電動送風機１３の吸込開口１３Ａがプリーツフィルタ４３を介して集塵ケース３０の集塵室Ｐに連通する。
【００２４】
なお、図３に示すハンドル体６０は、プリーツフィルタ体４０のフィルタ枠４２の収納部４５に収納されている。
【００２５】
そして、電源スイッチＳ１をオンにすると電動送風機１３が駆動され、この電動送風機１３の駆動により、プリーツフィルタ４３を介して集塵ケース３０の集塵室Ｐが負圧となる。この負圧が集塵ホース２４および延長管２５を介して吸込口体２６に作用し、この吸込口体２６から空気および塵埃が吸引されていき、この空気および塵埃は延長管２５および集塵ホース２４を通り、接続筒３５の塵埃吸込口３５Ａから集塵室Ｐへ吸引されていく。
【００２６】
この塵埃吸込口３５Ａから集塵室Ｐへ吸い込まれていく空気は、ガイド壁３６により旋回流とされ、この旋回流により塵埃と空気が分離されていく。この分離された塵埃が集塵室Ｐに集塵されていく。
【００２７】
旋回流となった空気は、プリーツフィルタ４３を通って電動送風機１３の吸込開口１３Ａに吸引されていき、この吸引された空気は電動送風機１３の排気孔１３aから排気され、上ケース１４の排気口Ｈから排気される。
【００２８】
集塵室Ｐに溜まった塵埃を捨てるには、先ずホース２４をフランジ２０のホース接続口２１から外すとともにクランプＧを外して上ケース１４を下ケース１２から取り外す。上ケース１４の取り外しにより、図３に示すように、プリーツフィルタ体４０の上面が露出することになる。
【００２９】
プリーツフィルタ体４０のプリーツフィルタ４３が目詰まりしている場合には、プリーツフィルタ枠４２の収納部４５からハンドル体６０を取り出し、このハンドル体６０の突起部６２を図６に示すように除塵子５０の凹部５２Ｂに挿入する。そして、ハンドル体６０のハンドル部６１を掴んで除塵子５０をガイドレール４４に沿って移動させていき、プリーツフィルタ４３に付着した塵埃を落としていく。この落とされた塵埃は集塵ケース３０内に落下していく。
【００３０】
このように、ハンドル体６０のハンドル部６１を掴んで除塵子５０を移動させるものであるから、除塵子５０の高さが低くて掴みにくいものであってもその移動操作はし易いものとなる。また、除塵子５０の高さを低くすることができるので、掃除機本体の高さである下ケース１２の底部から上ケース１４の上面までの高さを低くすることができる。
【００３１】
プリーツフィルタ４３の除塵が終了したら、集塵ケース３０を下ケース１２から取り外すとともに、プリーツフィルタ枠４２の収納部４５の凹部４５Ａ（図４参照）に指を差し入れてプリーツフィルタ体４０を集塵ケース３０から取り外し、集塵ケース３０内に集塵されている塵埃を捨てる。
［第２実施例］
図７は第２実施例のプリーツフィルタ体１４０を示したものであり、このプリーツフィルタ体１４０は、図８に示すように直方体の除塵子１５０の上面に凹部１５１を形成したものである。
【００３２】
１６０はフィルタ枠４２の収納部４５に収納されるブラシ具（ハンドル体）であり、このブラシ具１６０は、図９および図１０に示すように、ほぼかまぼこ形状の把手部１６１の底面１６１Ａに除塵子１５０の凹部１５１に嵌入される突出部１６２を形成し、この突出部１６１の周囲にリブ１６３を設け、このリブ１６３にガイドレール４４のレール部４４Ｂ,４４Ｃに摺動自在に係合する凹部１６３Ａ,１６３Ｂを設け、把手部１６１の一端に清掃用のブラシ毛１６４を植毛したものである。
【００３３】
ブラシ具１５０は、例えば集塵ケース３０の集塵室Ｐなどを清掃するためのものである。
【００３４】
このブラシ具１６０の突出部１６２を除塵子１５０の凹部１５１に嵌入させて、ブラシ具１６０を図１１に示すように除塵子１５０に取り付け、このブラシ具１６０の把手部１６１を持って除塵子１５０を移動させるようにしたものである。
【００３５】
この第２実施例によれば、第１実施例と同様な効果が得られるとともに、除塵子１５０を移動させる専用のハンドル体が不要となる。
［第３実施例］
図１２および図１３は第３実施例のプリーツフィルタ体２４０を示したものである。このプリーツフィルタ体２４０は、ブラシ具（ハンドル体）２６０を収納する収納部２４５をフィルタ枠２４２に設け、この収納部２４５にブラシ具２６０を収納している場合、ブラシ具２６０がプリーツフィルタ体２４０を持ち上げる際の指引っ掛け部として機能するようにしたものである。
【００３６】
フィルタ枠２４２の収納部２４５の両側壁部２４５Ａ,２４５Ｂには係合溝２４６,２４７が形成され、当接面２４５Ｃには凹部２４８が形成されている。
【００３７】
ブラシ具２６０は、直方形状の把手部２６１と、この把手部２６１の両端に設けられて突起２６２,２６３と、突起２６２に植毛された毛ブラシ２６４と、把手部の一側面に設けられるとともに除塵子１５０の凹部１５１に係合する突出部２６５とを有している。
【００３８】
ブラシ具２６０の突起２６２は、プリーツフィルタ体２４０の収納部２４５の係合溝２４６に係合するようになっており、その突起２６２の毛ブラシ２６４はその係合溝２４６に入り込むようになっている。また、ブラシ具２６０の突起２６３は収納部２４５の係合溝２４７に係合し、ブラシ具２６０の突出部２６５は収納部２４５の凹部２４８に入るようになっている。
【００３９】
ブラシ具２６０でプリーツフィルタ体２４０の除塵子１５１を移動させる場合には、ブラシ具２６０の突出部２６５を除塵子１５０の凹部１５１に係合させて、ブラシ具２６０の把手部２６１を掴んで除塵子１５０を移動させる。
【００４０】
ブラシ具２６０をプリーツフィルタ体２４０の収納部２４５に収納させる場合には、ブラシ具２６０の突起２６２および毛ブラシ２６４を収納部２４５の係合溝２４６に差し込み、ブラシ具２６０の突起２６２を収納部２４５の係合溝２４７に差し込んで、このブラシ具２６０を押し込んで突出部２６５を収納部２４５の凹部２４８に挿入させて、このブラシ具２６０を図１３に示すように収納部２４５に収納させる。
【００４１】
そして、このブラシ具２６０の下側を指で引っ掛けることにより、プリーツフィルタ体２４０を持ち上げることができる。
【００４２】
この第３実施例では、プリーツフィルタ体２４０を集塵ケース３０から取り外した後、ブラシ具２６０をプリーツフィルタ体２４０の収納部２４５から外してプリーツフィルタ４３の除塵を行う。
【００４３】
この第３実施例も第２実施例と同様な効果が得られる他、ブラシ具２６０をプリーツフィルタ体２４０を持ち上げる際に利用できるようにしたものである。
【００４４】
また、第３実施例ではブラシ具２６０を使用しているが、この代わりに第１実施例のようなハンドル体にしてもよい。
【００４５】
上記実施例では、いずれもハンドル体６０およびブラシ具１６０,２６０は、掃除機本体内に設ける集塵ケースに装着するプリーツフィルタ体４０,１４０,２４０に収納するようにしているが、下ケース１２や上ケース１４等に直接収納できるようにしてもよい。
【００４６】
また、上記実施例では、下ケース１２に上ケース１４を取り付ける電気掃除機１０について説明したが、これに限らず例えばアップライト式やキャニスタ式の電気掃除機にも適用できる。
【図面の簡単な説明】
【００４７】
【図１】この発明に係る電機掃除機の外観を示した斜視図である。
【図２】図１に示す電気掃除機の構成を概略的に示した断面図である。
【図３】プリーツフィルタ体との外観を示した斜視図である。
【図４】図３に示すプリーツフィルタ体の断面図である。
【図５】プリーツフィルタ体のガイドレールと除塵子とハンドル体とを示した斜視図である。
【図６】ハンドル体を使用して除塵子を移動させる場合の説明図である。
【図７】第２実施例のプリーツフィルタ体を示した斜視図である。
【図８】図７に示すプリーツフィルタ体のガイドレールと除塵子とを示した斜視図である。
【図９】図７に示すブラシ具を示した拡大斜視図である。
【図１０】図９に示すブラシ具の底面図である。
【図１１】図８に示す除塵子にブラシ具を取り付けた状態を示す斜視図である。
【図１２】第３実施例のプリーツフィルタ体とブラシ具を示した斜視図である。
【図１３】図１２のプリーツフィルタ体にブラシ具を収納した状態を示した斜視図である。
【符号の説明】
【００４８】
１３          電動送風機
４３          プリーツフィルタ
４４          ガイドレール
５０          除塵子
５２Ｂ        凹部
６０          ハンドル体
６２          突起部（一端）
Ｐ          集塵室（集塵部）
【図１】
2008178506.tif 000003
【図２】
2008178506.tif 000004
【図３】
2008178506.tif 000005
【図４】
2008178506.tif 000006
【図５】
2008178506.tif 000007
【図６】
2008178506.tif 000008
【図７】
2008178506.tif 000009
【図８】
2008178506.tif 000010
【図９】
2008178506.tif 000011
【図１０】
2008178506.tif 000012
【図１１】
2008178506.tif 000013
【図１２】
2008178506.tif 000014
【図１３】
2008178506.tif 000015